(57)【特許請求の範囲】
【請求項１】
人を支持する支持面を有する本体部と、
前記本体部の端部にヒンジを介して回動可能に取り付けられるフェンス部と、
前記ヒンジと当接して前記フェンス部の回動を規制するストッパー部と、
前記ヒンジと前記ストッパー部とが当接する位置が前記支持面に支持される人に対して露出することを防止するガード部と、
を備え、
前記本体部に含まれるフレーム部の一部が、前記ガード部を兼ねることを特徴とする介護器具。
【請求項２】
人を支持する支持面を有する本体部と、
前記本体部の端部にヒンジを介して回動可能に取り付けられるフェンス部と、
前記ヒンジと当接して前記フェンス部の回動を規制するストッパー部と、
前記ヒンジと前記ストッパー部とが当接する位置が前記支持面に支持される人に対して露出することを防止するガード部と、
を備え、
前記本体部は、前記本体部に含まれるフレーム部に支持されるマット部を含み、
前記マット部の一部が、前記ガード部を兼ねることを特徴とする介護器具。
【請求項３】
前記フェンス部を回動する際の回動中心、及び、前記ストッパー部が、前記本体部の前記支持面の反対面側に設けられていることを特徴とする請求項１又は２に記載の介護器具。
【請求項４】
人を支持する支持面を有する本体部と、
前記本体部の端部にヒンジを介して回動可能に取り付けられるフェンス部と、
前記ヒンジと当接して前記フェンス部の回動を規制するストッパー部と、
前記ヒンジと前記ストッパー部とが当接する位置が前記支持面に支持される人に対して露出することを防止するガード部と、
を備え、
前記フェンス部の一部が、前記ガード部および前記ストッパー部を兼ねることを特徴とする介護器具。
【請求項５】
当該介護器具が入浴用担架であって、
前記フェンス部は、前記本体部に取り付けられるサイドフェンスであることを特徴とする請求項１から４のいずれか１項に記載の介護器具。
【発明の詳細な説明】
【技術分野】
【０００１】
本発明は、例えば入浴用担架等の介護器具に好適な技術に関する。
【背景技術】
【０００２】
従来、病人、老人、身体障害者等の介助が必要な者（要介助者）を入浴させる場合に、入浴用担架が使用されている（例えば特許文献１参照）。
【０００３】
図４は、従来の入浴用担架１００の構成を示す概略斜視図である。入浴用担架１００は、人を支持する支持面１０１ａを有する本体部１０１を備えている。本体部１０１は、担架マット１０２と、担架マット１０２を下側から支持するフレーム部１０３と、を含んでいる。フレーム部１０３の長手方向の一端部には、担架マット１０２上で臥位となる要介助者が頭を載せるための枕１０４が取り付けられている。
【０００４】
また、フレーム部１０３の短手方向の両端部には、担架マット１０２上に載る要介助者の転落を防止したり、要介助者の体の一部が担架マット１０２から滑り落ちるのを防止したりするサイドフェンス１０５が取り付けられている。なお、サイドフェンス１０５は、詳細には、上半身側に設けられる第１のサイドフェンス１０５ａと、下半身側に設けられる第２のサイドフェンス１０５ｂとで構成されている。
【０００５】
サイドフェンス１０５は、フレーム部１０３にヒンジを介して回動可能に取り付けられている。サイドフェンス１０５は、回動により、担架マット１０２上に載る要介助者の転落等を防止する第１の状態と、要介助者の移乗に便利な第２の状態と、に切り換えられるようになっている。図４は、サイドフェンス１０５が第１の状態である場合を示している。サイドフェンス１０５を第１の状態から外側に向けて倒す（回動させる）ことによって第２の状態が得られる。
【０００６】
図５は、従来の入浴用担架１００の使用例について説明するための模式図である。図５は、入浴用担架１００等を上から見た場合を想定した図である。図５の（ａ）、（ｂ）の順に、要介助者を浴槽の湯に浸からせる手順が進む。
【０００７】
まず、入浴用担架１００は、車輪を有する台車部１１０上に載せられる。入浴用担架１００を載せた台車部１１０がベッドや洗身台等に近づけられ、要介助者が入浴用担架１００上に移乗される。ベッド等から入浴用担架１００に要介助者を移乗する際には、サイドフェンス１０５は、上述の第１の状態から第２の状態に変更される。また、入浴用担架１００に要介助者が載せられると、サイドフェンス１０５は、第２の状態から第１の状態に変更される。
【０００８】
要介助者が入浴用担架１００に載せられると、台車部１１０は、浴槽を備える浴槽装置１２０に横付けされる（図５（ａ）参照）。この際、台車部１１０は、浴槽装置１２０に連結される。台車部１１０が浴槽装置１２０に連結されると、入浴用担架１００が、台車部１１０から、浴槽装置１２０に設けられる担架支持台１２１上に移動される（図５（ｂ）参照）。
【０００９】
なお、図５に示されるように、台車部１１０及び担架支持台１２１には、それぞれレール１１１、１２２が設けられている。入浴用担架１００の下面には、ローラー１０６が取り付けられており（図４参照）、当該ローラー１０６がレール１１１、１２２上を転がることによって、入浴用担架１００は台車部１１０と担架支持台１２１との間を移動する。
【００１０】
入浴用担架１００が担架支持台１２１上に移動されると（図５（ｂ）の状態）、昇降式の浴槽が上昇（担架支持台１２１に対して上昇）されて、入浴用担架１００上に載る要介助者は、浴槽内の湯に浸かることができる。
【先行技術文献】
【特許文献】
【００１１】
【特許文献１】特開２０１１−６２４８０号公報
【発明の概要】
【発明が解決しようとする課題】
【００１２】
図６は、従来の入浴用担架１００が備えるサイドフェンス１０５の本体部１０１への取り付け構造を示す概略断面図である。図６（ａ）は、サイドフェンス１０５が起立した状態（上述の第１の状態）を示している。図６（ｂ）は、サイドフェンス１０５が倒れた状態（略水平となった状態；上述の第２の状態）を示している。
【００１３】
図６に示すように、本体部１０１を構成するフレーム部１０３には、ヒンジ１０７が固定されている。ヒンジ１０７には、サイドフェンス１０５が回動可能に連結されている。サイドフェンス１０５は、本体部１０１の側方に配置される回動軸ＡＲを中心として回動する。
【００１４】
サイドフェンス１０５には、ヒンジ１０７の突出部１０７ａと当接して、サイドフェンス１０５の回動を規制するストッパー部１０５ａが設けられている。ストッパー部１０５ａの存在により、倒された状態（図６（ｂ）の状態）から起立した状態（図６（ａ）の状態）へと回動されたサイドフェンス１０５が、内側に倒れてしまうことを防止できる。
【００１５】
図７は、図６に示す従来のサイドフェンス１０５の取り付け構造における懸念事項を説明するための概略図である。図７に示すように、従来の構成では、倒された状態のサイドフェンス１０５を起立した状態にする際に、担架マット１０２の上面（支持面１０１ａ）に載る要介助者Ｍの身体の一部（例えば腕の皮膚等）が、ストッパー部１０５ａと突出部１０７ａとの間に挟み込まれて、要介助者Ｍが怪我をすることが懸念される。また、従来の構成では、このような怪我が発生しないように、介助者の確認作業が大変になることが懸念される。
【００１６】
以上の点に鑑みて、本発明の目的は、要介助者の安全を確保できるとともに、介助者の負担を軽減できる介護器具を提供することである。
【課題を解決するための手段】
【００１７】
上記目的を達成するために本発明の介護器具は、人を支持する支持面を有する本体部と、前記本体部の端部にヒンジを介して回動可能に取り付けられる回動部と、前記ヒンジと当接して前記回動部の回動を規制するストッパー部と、前記ヒンジと前記ストッパー部とが当接する位置が前記支持面に支持される人に対して露出することを防止するガード部と、を備える構成（第１の構成）になっている。
【００１８】
本構成によれば、ガード部によって、ヒンジとストッパーとが当接する部分に要介助者の身体が近づくことを防止できる。このために、本構成の介護器具によれば、要介助者の身体の一部がストッパー部とヒンジ部との間に挟まれて怪我をする可能性を低減できる。
【００１９】
上記第１の構成の介護器具において、前記本体部に含まれるフレーム部の一部が、前記ガード部を兼ねる構成（第２の構成）を採用してもよい。本構成によれば、従来の構成に対して極力部品点数を増やすことなく、安全な介護器具を提供可能である。
【００２０】
上記第１又は第２の構成の介護器具において、前記本体部が、前記フレーム部に支持されるマット部を含み、前記マット部の一部が、前記ガード部を兼ねる構成（第３の構成）を採用してもよい。本構成によれば、従来の構成に対して極力部品点数を増やすことなく、安全な介護器具を提供可能である。本構成では、前記フレーム部の一部と前記マット部の一部とが、前記ガード部を兼ねる構成であってもよい。
【００２１】
上記第２又は第３の構成の介護器具において、前記回動部を回動する際の回動中心、及び、前記ストッパー部が、前記本体部の前記支持面の反対面側に設けられている構成（第４の構成）が採用されてよい。
【００２２】
上記第１の構成の介護器具において、前記回動部の一部が、前記ガード部を兼ねる構成（第５の構成）が採用されてもよい。本構成によれば、従来の構成に対して極力部品点数を増やすことなく、安全な介護器具を提供可能である。
【００２３】
上記第５の構成の介護器具において、前記回動部の一部は、更に前記ストッパー部を兼ねる構成（第６の構成）であってよい。本構成によれば、簡単な構造で、安全性の高い介護器具を提供可能である。
【００２４】
上記第１から第６のいずれかの構成の介護器具は、入浴用担架であって、前記回動部は、前記本体部に取り付けられるサイドフェンスである構成（第７の構成）が採用されてよい。
【発明の効果】
【００２５】
本発明によれば、要介助者の安全を確保できるとともに、介助者の負担を軽減できる介護器具を提供できる。
【図面の簡単な説明】
【００２６】
【図１】本発明の第１実施形態に係る入浴用担架が備えるサイドフェンスの取り付け構造を示す概略断面図
【図２】本発明の第２実施形態に係る入浴用担架が備えるサイドフェンスの取り付け構造を示す概略断面図
【図３】本発明の更なる他の実施形態を示す概略断面図
【図４】従来の入浴用担架の構成を示す概略斜視図
【図５】従来の入浴用担架の使用例について説明するための模式図
【図６】従来の入浴用担架が備えるサイドフェンスの本体部への取り付け構造を示す概略断面図
【図７】図６に示す従来のフェンスの取り付け構造における懸念事項を説明するための概略図
【発明を実施するための形態】
【００２７】
以下、本発明の実施形態に係る介護器具について、図面を参照しながら詳細に説明する。なお、本発明の実施形態に係る介護器具は、入浴用担架である。本発明の実施形態に係る入浴用担架の構成は、先に説明した従来の入浴用担架１００の構成と概ね同じである。従来の入浴用担架１００と異なる点は、サイドフェンスの取り付け構造である。説明の重複を避けるために、基本的に、この相違点に絞って、以下説明を行う。
＜第１実施形態＞
【００２８】
図１は、本発明の第１実施形態に係る入浴用担架が備えるサイドフェンスの取り付け構造を示す概略断面図である。第１実施形態に係る入浴用担架は、従来の入浴用担架１００と同様に、担架マット２とフレーム部３とを含む本体部１を備えている。本体部１には、ヒンジ４を介してサイドフェンス５が回動可能に取り付けられている。サイドフェンス５は、図１（ａ）に示す起立状態と、図１（ｂ）に示す倒された状態（略水平状態）とに切り換えることができる。サイドフェンス５は、本発明の回動部の一例である。
【００２９】
なお、サイドフェンス５には、従来の入浴用担架１００（図４参照）と同様に、上半身側に設けられる第１のサイドフェンスと、下半身側に設けられる第２のサイドフェンスとの２種類が含まれてよい。また、サイドフェンス５は、第１のサイドフェンスと第２のサイドフェンスとが一纏めとされた構成でも構わない。入浴用担架が複数種類のサイドフェンスを備える場合には、図１に示すサイドフェンス５の取り付け構造は、全種類のサイドフェンスに適用されてもよいし、複数種類のサイドフェンスのうちの一部の種類にのみ適用されても構わない。
【００３０】
本実施形態では、ヒンジ４は、サイドフェンス５に固着されている。ヒンジ４のサイドフェンス５への固着方法は、特に限定されるものではないが、例えばネジ留め等が採用されてよい。ヒンジ４は、フレーム部３の下面側において、フレーム部３に対して回動可能に連結されている。ヒンジ４の介在により、サイドフェンス５は、フレーム部３の下面側に配置される回動軸ＡＲを回動中心として回動できる。なお、フレーム部３の下面側は、本発明における、本体部の支持面の反対面側に相当する。
【００３１】
フレーム部３の下面には、下方に向けて突出するストッパー片６（本発明のストッパー部の一例）が設けられている。図１（ａ）に示すように、ストッパー片６は、ヒンジ４の第１の当接面４ａと当接することによって、起立した状態のサイドフェンス５が内側（担架マット２側）に倒れないように、サイドフェンス５の回動を規制する。また、図１（ｂ）に示すように、ストッパー片６は、ヒンジ４の第２の当接面４ｂａと当接することによって、水平状態のサイドフェンス５が下方に向けて更に回動しないように、サイドフェンス５の回動を規制する。
【００３２】
第１実施形態の入浴用担架においては、ヒンジ４とストッパー片６とが当接する位置（当接位置）が、担架マット２及びフレーム部３の存在によって、担架マット２の上面（支持面１ａ）に載る要介助者に対して露出しない構成になっている。換言すると、第１実施形態の入浴用担架では、担架マット２及びフレーム部３の各一部が、支持面１ａに載る要介助者に対して前記当接位置が露出することを防止するガード部として機能する構成になっている。なお、前記当接位置が露出しない状態は、サイドフェンス１５がその可動範囲内のいずれの位置にある場合においても確保されている。
【００３３】
このために、第１実施形態の入浴用担架においては、サイドフェンス５を起立したり、倒したりする操作を行う場合に、要介助者の身体の一部が、ヒンジ４とストッパー片６との間に挟み込まれることを防止できる。また、当該ガード部の存在によって挟み込みの発生確率が非常に低くなるために、サイドフェンス５の操作を行う介助者の負担（安全確認作業による負担）も軽減できる。
【００３４】
なお、本実施形態では、担架マット２及びフレーム部３がガード部として機能する構成としたが、これは一例にすぎない。担架マット２とフレーム部３とのうちの少なくとも一方がガード部として機能すればよい。
【００３５】
また、本実施形態の構成では、倒れた状態のサイドフェンス５を起立状態にする場合に、サイドフェンス５と担架マット２との間に、腕等の身体の一部が挟まれる可能性がある。しかし、サイドフェンス５と担架マット２とのうちの少なくともいずれか一方は、通常、軟質の素材で構成される。このために、サイドフェンス５と担架マット２との間に腕等が挟まれても、要介助者に大きなダメージを与えるような挟み込みには至らない。また、挟み込みによるダメージが発生し難いように、サイドフェンス５と担架マット２との間のクリアランスが十分大きくなるように構成してもよい。
＜第２実施形態＞
【００３６】
次に、第２実施形態の入浴用担架について説明する。第１実施形態と重複する部分については、特に必要がない場合には説明を省略する。図２は、本発明の第２実施形態に係る入浴用担架が備えるサイドフェンスの取り付け構造を示す概略断面図である。第２実施形態の入浴用担架も、第１実施形態と同様に、担架マット２とフレーム部３とを含む本体部１と、本体部１にヒンジ４を介して回動可能に取り付けられるサイドフェンス５と、を備えている。しかし、ヒンジ４、及び、サイドフェンス５の回動を規制するストッパーの構成が、第１実施形態の構成とは異なる。
【００３７】
ヒンジ４は、フレーム部３の下部にネジ止め等によって固着されている。ヒンジ４には、回動軸ＡＲを中心としてサイドフェンス５が回動可能に連結されている。なお、ヒンジ４は、回動軸ＡＲが本体部１の側方に配置されるように、フレーム部３に取り付けられている。
【００３８】
サイドフェンス５には、ヒンジ４の壁面４ｃと当接して、サイドフェンス５の回動を規制するストッパー部５ａが設けられている。ストッパー部５ａは、起立した状態のサイドフェンス５の下部側から、断面視略Ｊ字状に突出し、ヒンジ４の円弧状部分に沿うように配置されている。サイドフェンス５が倒された状態（図２（ｂ）の状態）から起立した状態（図２（ａ）の状態）へと回動された場合に、ストッパー部５ａの先端側がヒンジ４の壁面４ｃと当接する。このために、起立したサイドフェンス５が、内側（担架マット２側）に倒れることを防止できる。
【００３９】
第２実施形態の入浴用担架においては、ヒンジ４とストッパー部５ａとが当接する位置（当接位置）が、断面視略Ｊ字状に設けられるストッパー部５ａによって、担架マット２の上面（支持面１ａ）に載る要介助者に対して露出しない構成になっている。換言すると、第２実施形態の入浴用担架では、ストッパー部５ａが、支持面１ａに載る要介助者に対して前記当接位置が露出することを防止するガード部として機能する構成になっている。なお、前記当接位置が露出しない状態は、サイドフェンス１５がその可動範囲内のいずれの位置にある場合においても確保されている。
【００４０】
このために、第２実施形態の入浴用担架においては、倒れたサイドフェンス５が起立される場合に、要介助者の身体の一部が、ヒンジ４とストッパー部５ａとの間に挟み込まれることを防止できる。また、当該ガード部の存在によって挟み込みの発生確率が非常に低くなるために、サイドフェンス５の操作を行う介助者の負担（安全確認作業による負担）も軽減できる。
【００４１】
なお、本実施形態では、サイドフェンス５が水平状態から下がらないように維持するための構成については特に示していない。当該構成も、サイドフェンス５とヒンジ４との当接によって得ることが可能である。このような構成を採用する場合、サイドフェンス５とヒンジ４とが当接する位置が、担架マット２の上面に載る要介助者に対して露出しないようにガード部を配置するのが好ましい。
＜その他＞
【００４２】
以上に示した実施形態は、本発明の例示にすぎない。以上に示した実施形態の構成は、本発明の技術的思想を超えない範囲で適宜変更されて構わない。
【００４３】
例えば、以上に示した実施形態では、ヒンジ４やストッパー部５ａ、６の形状及び配置の工夫によって、ヒンジ４とストッパー部５ａ、６とが当接する位置が、担架マット２に載る要介助者に対して露出することを防止するガード部を得る構成とした。しかし、これらは例示にすぎない。
【００４４】
図３に示すように、ヒンジ４及びストッパー部５ａの構成は、従来の入浴用担架１００（図６参照）と同じにして、折り曲げ部２ａを有する担架マット２をサイドフェンス５まで延長することによって、ヒンジ４とストッパー部５ａとが当接する位置が、担架マット２に載る要介助者に対して露出しないようにしてもよい。この場合には、担架マット２が、本発明のガード部としての機能を発揮することになる。
【００４５】
また、以上に示した実施形態では、サイドフェンス５が回動可能な範囲は、起立状態（図１（ａ）及び図２（ａ）に示す状態）から９０°回動する位置までとしたが、これは例示にすぎない。例えば、サイドフェンス５が起立状態から９０°を超えて回動する構成としても勿論構わない。このような構成にも、本発明は適用可能である。
【００４６】
また、以上においては、本発明が入浴用担架に適用される場合を示したが、これは例示にすぎない。本発明は、入浴用担架に限らず、入浴用途以外で使用される担架や入浴用車椅子等のフェンス部を備える介護器具に広く適用可能である。なお、フェンス部は、介護器具に載る要介助者の転落を防止する機能を発揮するものや、身体の一部が所定の場所からはみ出したり滑り落ちたりするのを防止する機能を発揮するものを指している。
【符号の説明】
【００４７】
１      本体部
１ａ    支持面
２      担架マット（ガード部を兼ねる場合あり）
３      フレーム部（ガード部を兼ねる場合あり）
４      ヒンジ
５      サイドフェンス（回動部）
５ａ    ストッパー部（ガード部を兼ねる場合あり）
６      ストッパー片
ＡＲ    回動中心
【図１】
0006616603.tif 000002
【図２】
0006616603.tif 000003
【図３】
0006616603.tif 000004
【図４】
0006616603.tif 000005
【図５】
0006616603.tif 000006
【図６】
0006616603.tif 000007
【図７】
0006616603.tif 000008